(57)【要約】【課題】  用紙を有効利用できると共に、環境問題にも対応したカレンダーを提供する。【解決手段】  カレンダー表紙と複数のカレンダー用紙からなるカレンダーにおいて、カレンダー用紙の裏面に、次の月のカレンダー用紙の表面に表示した月と同一の月に関する内容を表示し、使い終わった月のカレンダーも再利用可能とする。【選択図】  図２
2005313471.tif 000002
【特許請求の範囲】
【請求項１】
表紙とその他の複数の用紙により構成されるカレンダーであって、
各用紙の表面には、所定の期間単位に対応した日付が表示されており、
各用紙の裏面には、当該用紙の裏面と対面する他の用紙の表面に表示されている期間単位と同一の期間単位について表示されており、
最後の用紙の裏面には、翌年の最初の期間単位についての日付が表示されていることを特徴とするカレンダー。
【請求項２】
前記期間単位は、月単位であることを特徴とする請求項１に記載のカレンダー。
【発明の詳細な説明】
【技術分野】
【０００１】
本発明は、その用紙を最大限に利用でき、省資源化に対応したカレンダーに関する。
【背景技術】
【０００２】
従来より、さまざまなカレンダーが販売され、利用されている。このようなカレンダーの中には、単純に用紙に日付が印刷されているだけでなく、さまざまな工夫がなされている（例えば、特許文献１参照）。
【特許文献１】実開平６−１７９５６号公報
【０００３】
しかしながら、従来のカレンダーは、その用紙が完全に有効利用されているとはいえず、環境問題に関心の高まる今日、より環境性の高いカレンダーが望まれている。
【発明の開示】
【発明が解決しようとする課題】
【０００４】
上記のような点に鑑み、本発明は、用紙を有効利用できると共に、環境問題にも対応したカレンダーを提供することを課題とする。
【課題を解決するための手段】
【０００５】
上記課題を解決するため、本発明では、表紙とその他の複数の用紙からなるカレンダーを、各用紙の表面には、所定の期間単位に対応した日付が表示されており、各用紙の裏面には、当該用紙の裏面と対面する他の用紙の表面に表示されている期間単位と同一の期間単位について表示されており、最後の用紙の裏面には、翌年の最初の期間単位についての日付が表示された構成としたことを特徴とする。
【発明の効果】
【０００６】
本発明によれば、従来のカレンダーのようにカレンダー用紙の表面に日付の表示を施すだけでなく、カレンダー用紙の裏面にも日付の表示を施し、その裏面には対面する他の用紙の表面に表示されている期間単位と同一の期間単位について表示するようにしたので、表面に表示された期間が経過した後、そのカレンダー用紙を切離した場合であっても、切離したカレンダー用紙を別途１枚のカレンダーとして有効利用でき、環境問題にも対応することができる。
【発明を実施するための最良の形態】
【０００７】
以下、本発明の好適な実施形態について、図面を参照して詳細に説明する。
図１に本発明に係るカレンダーの一実施形態における外観斜視図を示す。図１において、Ｈはカレンダー表紙、Ｃ１〜Ｃ１２はカレンダー用紙を示している。カレンダーは、１枚のカレンダー用紙に何ヶ月分表示するかによって、全体の枚数が異なる。例えば、１ヶ月分を１枚に表示する場合には、カレンダー用紙が１２枚必要であり、カレンダー表紙を合わせて全体で１３枚構成となる。また、２ヶ月分を１枚に表示する場合には、カレンダー用紙が６枚必要であり、カレンダー表紙を合わせて全体で７枚構成となる。本実施形態では、カレンダー用紙１枚に１ヶ月分を表示した１３枚構成のカレンダーの場合を例にとって説明する。したがって、カレンダー用紙は、Ｃ１〜Ｃ１２の１２枚必要となる。また、図１に示すような、カレンダー表紙Ｈの表面には、カレンダーの表紙としての「２００５」や「カレンダー」の文字の他、絵柄、写真等のカレンダー全体を示す内容が表示されている。具体的には、これらの内容を印刷することにより表示することとなる。
【０００８】
カレンダーは、カレンダー表紙Ｈとカレンダー用紙Ｃ１〜Ｃ１２が綴じ具Ｔにより綴じられて一体に形成されている。綴じ具Ｔとしては、紙や天金具など周知のものを用いることができるが、環境問題に配慮すると紙を用いることが望ましい。綴じ具Ｔは、カレンダー表紙Ｈおよび１番下側のカレンダー用紙Ｃ１２に塗布された糊と圧着する等の手法により綴じられることになる。綴じ具Ｔには、その中央部分に、貫通孔が設けられており、カレンダーを吊り下げて掲示する場合に、利用することができるようになっている。また、カレンダー表紙Ｈの綴じ具Ｔと下端と接する位置には、図面左右方向に沿ってミシン目が設けられており、このミシン目に従ってカレンダー表紙Ｈをカレンダー本体から切離すことができるようになっている。
【０００９】
図２は、カレンダー用紙Ｃ１の表面の状態を示す平面図である。図２において、Ｍは期間表示領域、Ｄは日付表示領域、Ｓは文章表示領域、Ｆは絵柄表示領域である。期間表示領域Ｍには、そのカレンダー用紙に表示されている期間を示す情報が表示されている。図２の例では、１月を表示するものであるため、「１」と表示されている。日付表示領域Ｄには、期間表示領域Ｍに表示された期間に対応する各日付が表示されている。図２の例では、１月を表示するものであるため、１日〜３１日の各日付が表示されている。なお、日付は週単位で行が変わる構成とされており、左端が日曜日（SUN）であり、右端が土曜日（SAT）となっている。日付の配置位置としては、左端が月曜日（MON）であり、右端が日曜日（SUN）とすることも可能である。
【００１０】
文章表示領域Ｓは、物語のストーリーを構成する文章を表示する領域である。絵柄表示領域Ｆは、文章表示領域Ｓに表示された文章に対応する絵柄を表示する領域である。本実施形態では、絵柄表示領域Ｆは、カレンダー用紙Ｃの全面に表示され、絵柄表示領域Ｆに重ねて、期間表示領域Ｍ、日付表示領域Ｄ、文章表示領域Ｓが設けられている。また、カレンダー用紙の最下部に近い部分には、「○○○株式会社」等の企業名が表示されており、企業の広告用のカレンダーとして用いることができる。もちろん、企業の広告用のカレンダー以外にも通常の販売用のカレンダーとしたり、既製のカレンダーに企業名を印刷して広告用カレンダーとすることも可能である。カレンダー用紙の最上部に近い部分には、貫通孔が設けられており、カレンダーを吊り下げて掲示する場合に、利用することができる。また、貫通孔の下方には、図面左右方向にミシン目が設けられており、このミシン目によりカレンダー本体とカレンダー用紙Ｃ１が切離し可能となっている。このミシン目は、カレンダー表紙および他のカレンダー用紙にも同じ位置に設けられている。その他の体裁についても、カレンダー用紙Ｃ２〜Ｃ１１の表面については、同様の体裁となっているが、表示される期間や日付が異なる他、ストーリーに従って文章表示領域Ｓや絵柄表示領域Ｆに表示される内容も異なったものとなる。
【００１１】
一方、カレンダー表紙Ｈの裏面には、カレンダー用紙Ｃ１の表面に表示された期間と同一の期間の内容が表示されている。カレンダー用紙Ｃ１の表面には１月の内容が表示されているので、カレンダー表紙Ｈの裏面にも、同じく１月の内容が表示されることになる。カレンダー表紙Ｈの裏面の体裁は、基本的には、カレンダー用紙Ｃ１の表面と同様となっており、期間表示領域Ｍ、日付表示領域Ｄ、文章表示領域Ｓ、絵柄表示領域Ｆが設けられている。ただし、表面とは、若干デザインを異ならせており、例えば、表面では、日付表示領域Ｄ内の各日付の枠が正方形であるが、裏面では、丸みを持たせた形状としたりすることができる。また、文章表示領域Ｓ、絵柄表示領域Ｆにより表現される物語のストーリーについては、カレンダー用紙Ｃ１の表面に表示されている内容と同時点の内容を、別の主人公からの異なった視点で表現したものとなっている。
【００１２】
また、カレンダー用紙Ｃ１の裏面には、カレンダー用紙Ｃ１の表面に表示された期間の次の期間の内容が表示されている。したがって、カレンダー用紙Ｃ１の表面には１月の内容が表示されているので、カレンダー用紙Ｃ１の裏面には、２月の内容が表示されることになる。カレンダー用紙Ｃ１の裏面の体裁は、カレンダー表紙Ｈの裏面の体裁と同様となっており、この体裁は、カレンダー用紙Ｃ２〜Ｃ１１の裏面についても共通である。カレンダー用紙Ｃ１２の裏面には、翌年の最初の期間についての表示がなされている。本カレンダーは、期間が１ヶ月単位となっている２００５年のカレンダーであるため、カレンダー用紙Ｃ１２の裏面には、２００６年１月の内容がカレンダー表紙Ｈおよびカレンダー用紙Ｃ１〜Ｃ１１と同様の体裁で表示されることになる。
【００１３】
以上のように、本発明によれば、カレンダー表紙と複数のカレンダー用紙からなるカレンダーにおいて、カレンダー用紙の裏面に、次の月のカレンダー用紙の表面に表示した月と同一の月に関する内容を表示することにより、使い終わった月のカレンダーも再利用可能となる。
【００１４】
以上、本発明の好適な実施形態について説明したが、本発明は上記実施形態に限定されず、種々の変形が可能である。例えば、上記実施形態では、綴じ具として、紙または金具を用いて綴じるようにしたが、ツインリング等のリング状のもので綴じるようにしても良い。この場合、カレンダー表紙Ｈおよび各カレンダー用紙Ｃ１〜Ｃ１２には、リング数と同数の貫通孔を設け、リングを通して綴じることになる。リングを用いて綴じた場合には、期間の過ぎた用紙は、一番裏側に移動させることができるため、ミシン目等を設けて切離す必要はない。
【００１５】
また、上記実施形態では、各カレンダー用紙に、物語のストーリーを表示するようにしたが、表示する内容については、様々な変更が可能である。例えば、各カレンダー用紙の表面には、世界の風景を表示しておき、各カレンダー用紙の裏面には、美術・芸術の作品を表示するようにしても良い。
【００１６】
また、上記実施形態では、各カレンダー用紙の表面と対面する他のカレンダー用紙の裏面に同じ月の内容を表示するようにしたが、これに限定されることなく、例えば、裏面から見るともう一つの別のカレンダーになっている構成としても良い。この場合、上記カレンダー用紙Ｃ１２の裏面にはカレンダーの別の表紙としての内容を表示し、カレンダー用紙Ｃ１１〜カレンダー表紙Ｈの裏面には、１月〜１２月の内容を表示することになる。
【図面の簡単な説明】
【００１７】
【図１】本発明に係るカレンダーの全体を示す図である。
【図２】本発明に係るカレンダー用紙の一実施形態を示す平面図である。
【符号の説明】
【００１８】
Ｈ・・・カレンダー表紙
Ｃ１〜Ｃ１２・・・カレンダー用紙
Ｔ・・・綴じ具
Ｍ・・・期間表示領域
Ｄ・・・日付表示領域
Ｓ・・・文章表示領域
Ｆ・・・絵柄表示領域
【図１】
2005313471.tif 000003
【図２】
2005313471.tif 000004